(57)【要約】【課題】複数の光源を効率よく使用し、光源の搭載数又は各光源の最大発光量を低減できる室内照明装置を提供する。【解決手段】シーリングライトは、最暖色設定又は最寒色設定を受け付けた場合であっても、暖色系ＬＥＤ又は寒色系ＬＥＤのいずれか一方のみを駆動するのではなく、暖色系ＬＥＤ及び寒色系ＬＥＤの両方を駆動し、両光源が発した光の混色によって最暖色又は最寒色の照明光とする。暖色系ＬＥＤ又は寒色系ＬＥＤの色度座標ｙの値は、ｘｙ色度図において色度座標ｘの値が同じ条件で、黒体輻射の色軌跡の色度座標ｙの値より大きい値とする。暖色系ＬＥＤは、ｘｙ色度図におけるＡ光源の色温度に相当する点より、色度座標ｘｙの値がそれぞれ大きいものを用いる。寒色系ＬＥＤは、ｘｙ色度図におけるＣ光源の色温度に相当する点より、色度座標ｘｙの値がそれぞれ小さいものを用いる。【選択図】図４
2013237356.tif 000002
【特許請求の範囲】
【請求項１】
暖色系光源と、寒色系光源と、最暖色から最寒色まで多段階で照明光の調色設定を受け付ける設定受付手段と、該設定受付手段が受け付けた調色設定に応じた比率で点灯すべく前記暖色系光源及び前記寒色系光源をそれぞれ駆動する駆動手段とを備える室内照明装置において、
前記駆動手段は、前記設定受付手段が最暖色設定又は最寒色設定を受け付けた場合、前記暖色系光源及び前記寒色系光源の両方が点灯するよう、前記暖色系光源及び前記寒色系光源を駆動するようにしてあること
を特徴とする室内照明装置。
【請求項２】
前記暖色系光源の色度は、ｘｙ色度図における前記暖色系光源の色度座標と黒体輻射の色軌跡とを色度座標ｘが同値の点で比較して、前記暖色系光源の色度座標ｙの値が前記黒体輻射の色軌跡の色度座標ｙの値より大きく、
前記寒色系光源の色度は、ｘｙ色度図における前記寒色系光源の色度座標と黒体輻射の色軌跡とを色度座標ｘが同値の点で比較して、前記寒色系光源の色度座標ｙの値が前記黒体輻射の色軌跡の色度座標ｙの値より大きいこと
を特徴とする請求項１に記載の室内照明装置。
【請求項３】
前記暖色系光源の色度は、ｘｙ色度図における黒体輻射の色軌跡上のＡ光源の色温度に相当する点と比較して、前記暖色系光源の色度座標ｘの値及び色度座標ｙの値が、前記Ａ光源の色温度に相当する点の色度座標ｘの値及び色度座標ｙの値よりそれぞれ大きいこと
を特徴とする請求項１又は請求項２に記載の室内照明装置。
【請求項４】
前記寒色系光源の色度は、ｘｙ色度図における黒体輻射の色軌跡上のＣ光源の色温度に相当する点と比較して、前記寒色系光源の色度座標ｘの値及び色度座標ｙの値が、前記Ｃ光源の色温度に相当する点の色度座標ｘの値及び色度座標ｙの値よりそれぞれ小さいこと
を特徴とする請求項１から請求項３までのいずれか１つに記載の室内照明装置。
【請求項５】
ｘｙ色度図における前記暖色系光源の色度を示す点と前記寒色系光源の色度を示す点とを結ぶ線分が、ｘｙ色度図における黒体輻射の色軌跡に接するか又は２点で交差するように、前記暖色系光源及び前記寒色系光源の色度が定められており、
前記駆動手段は、ｘｙ色度図における前記線分と前記色軌跡との距離が所定範囲内となるように、前記暖色系光源の駆動量及び前記寒色系光源の駆動量を決定するようにしてあること
を特徴とする請求項１乃至請求項４のいずれか１つに記載の室内照明装置。
【発明の詳細な説明】
【技術分野】
【０００１】
本発明は、ユーザの好みに応じて暖色から寒色まで色調を調整することができる室内照明装置に関する。
【背景技術】
【０００２】
住宅などの室内を照らす室内照明装置として、例えば天井などに設置されるシーリングライト（例えば特許文献１参照）が普及している。従来の室内照明装置の光源には蛍光灯などが広く用いられていた。近年では、室内照明装置の光源としてＬＥＤ（Light Emitting Diode）が注目されており、ＬＥＤを採用した室内照明装置は電力消費量が少なく、光源の寿命が長いなどの利点を有している。またＬＥＤの光源には種々の色のものが存在するため、室内照明装置に色が異なる複数のＬＥＤを搭載し、各色のＬＥＤの駆動量又は発光量等を適切に制御することによって、様々な色の照明光を実現することができる。例えば暖色（色温度２７００Ｋ程度の電球色）及び寒色（色温度５７００Ｋ程度の蛍光灯色）の２種のＬＥＤ光源を搭載し、暖色から寒色まで数段階で色調を調整する室内照明装置がある。
【先行技術文献】
【特許文献】
【０００３】
【特許文献１】特開２０１２−３８６２４号公報
【発明の概要】
【発明が解決しようとする課題】
【０００４】
図６は、従来の室内照明装置による色調調整を説明するための模式図である。本例の室内照明装置は、暖色光源及び寒色光源の２種の光源を搭載し、２種の光源の発光比率を制御することによって、照明光の色調を調整することができる。ユーザは、最暖色設定から最寒色設定まで１１段階で色調を設定することがきる。例えばユーザが暖色及び寒色のちょうど中間色を設定した場合、室内照明装置は暖色光源及び寒色光源を５０：５０の比率で発光させる。また例えば、ユーザが最暖色を設定した場合、室内照明装置は暖色光源及び寒色光源を１００：０の比率で発光させ、ユーザが最寒色を設定した場合、室内照明装置は暖色光源及び寒色光源を０：１００の比率で発光させる。
【０００５】
上記の色調制御を行う従来の室内照明装置は、最暖色設定において寒色光源を発光させず、最寒色設定において暖色光源を発光させない。このため最暖色設定及び最寒色設定では装置に搭載された光源の約半分が使用されていないこととなり、光源の搭載数に対する全体の光量の観点から見て効率が悪いという問題がある。換言すれば、最暖色設定及び最寒色設定で十分な光量を得るために、室内照明装置に多数の光源を搭載する又は最大発光量の大きい光源を搭載する等の対策が必要であり、室内照明装置のコスト増を招来するという問題がある。
【０００６】
また２色の光源が発する光から得られる照明光の色は、ｘｙ色度図において各光源が発する光の色に対応する２点を結ぶ線分上の色となることが混色法則として知られている。室内照明装置が発する照明光の色は、黒体輻射の色軌跡に略一致することが理想であるが、ｘｙ色度図において黒体輻射の色軌跡は曲線であり、上記のように２色の光源から得られる照明光はｘｙ色度図において２点を結ぶ線分上の色となるため、黒体輻射の色軌跡を忠実に再現することはできない。
【０００７】
本発明は、斯かる事情に鑑みてなされたものであって、その目的とするところは、複数の光源を効率よく使用し、光源の搭載数又は各光源の最大発光量を低減できる室内照明装置を提供することにある。また本発明の他の目的とするところは、黒体輻射の色軌跡に近い特性で色調調整を行うことができる室内照明装置を提供することにある。
【課題を解決するための手段】
【０００８】
本発明に係る室内照明装置は、暖色系光源と、寒色系光源と、最暖色から最寒色まで多段階で照明光の調色設定を受け付ける設定受付手段と、該設定受付手段が受け付けた調色設定に応じた比率で点灯すべく前記暖色系光源及び前記寒色系光源をそれぞれ駆動する駆動手段とを備える室内照明装置において、前記駆動手段は、前記設定受付手段が最暖色設定又は最寒色設定を受け付けた場合、前記暖色系光源及び前記寒色系光源の両方が点灯するよう、前記暖色系光源及び前記寒色系光源を駆動するようにしてあることを特徴とする。
【０００９】
また、本発明に係る室内照明装置は、前記暖色系光源の色度が、ｘｙ色度図における前記暖色系光源の色度座標と黒体輻射の色軌跡とを色度座標ｘが同値の点で比較して、前記暖色系光源の色度座標ｙの値が前記黒体輻射の色軌跡の色度座標ｙの値より大きく、前記寒色系光源の色度は、ｘｙ色度図における前記寒色系光源の色度座標と黒体輻射の色軌跡とを色度座標ｘが同値の点で比較して、前記寒色系光源の色度座標ｙの値が前記黒体輻射の色軌跡の色度座標ｙの値より大きいことを特徴とする。
【００１０】
また、本発明に係る室内照明装置は、前記暖色系光源の色度が、ｘｙ色度図における黒体輻射の色軌跡上のＡ光源の色温度に相当する点と比較して、前記暖色系光源の色度座標ｘの値及び色度座標ｙの値が、前記Ａ光源の色温度に相当する点の色度座標ｘの値及び色度座標ｙの値よりそれぞれ大きいことを特徴とする。
【００１１】
また、本発明に係る室内照明装置は、前記寒色系光源の色度が、ｘｙ色度図における黒体輻射の色軌跡上のＣ光源の色温度に相当する点と比較して、前記寒色系光源の色度座標ｘの値及び色度座標ｙの値が、前記Ｃ光源の色温度に相当する点の色度座標ｘの値及び色度座標ｙの値よりそれぞれ小さいことを特徴とする。
【００１２】
また、本発明に係る室内照明装置は、ｘｙ色度図における前記暖色系光源の色度を示す点と前記寒色系光源の色度を示す点とを結ぶ線分が、ｘｙ色度図における黒体輻射の色軌跡に接するか又は２点で交差するように、前記暖色系光源及び前記寒色系光源の色度が定められており、前記駆動手段は、ｘｙ色度図における前記線分と前記色軌跡との距離が所定範囲内となるように、前記暖色系光源の駆動量及び前記寒色系光源の駆動量を決定するようにしてあることを特徴とする。
【００１３】
本発明においては、室内照明装置が暖色系光源及び寒色系光源を備え、ユーザなどによる調色設定を受け付けて各光源を駆動し、調色設定に応じた照明光を発する。室内照明装置は、最暖色の設定を受け付けた場合であっても、暖色系光源のみ駆動するのではなく、暖色系光源及び寒色系光源の両方を駆動し、両光源が発した光の混色によって最暖色の照明光とする。同様に、室内照明装置は、最寒色の設定を受け付けた場合であっても、寒色系光源のみ駆動するのではなく、暖色系光源及び寒色系光源の両方を駆動し、両光源が発した光の混色によって最寒色の照明光とする。
これにより、最暖色又は最寒色の設定においても、暖色系光源及び寒色系光源の両光源が光を発するため、いずれか一方のみの光源を駆動する場合と比較して、照明光の光量を増すことができる。換言すれば、光源を効率よく使用することができるため、室内照明装置の光源の搭載数又は各光源の最大発光量を低減できる。
【００１４】
ｘｙ色度図において黒体輻射の色軌跡は上に凸の曲線となる。例えば暖色系光源／寒色系光源として、最暖色設定／最寒色設定とする色温度に対応する黒体輻射の色軌跡上の点に対して、色軌跡上の色温度がより低い点／より高い点に対応する光源を用いることが考えられる。しかし黒体輻射の色軌跡は曲線となるため、このような光源を用いると中間色は黒体輻射の色軌跡からのズレが大きくなる。上述のように本発明では暖色系光源及び寒色系光源の一方のみを駆動することはなく、両方を駆動して中間色を照明光とするため、照明光の色が黒体輻射の色軌跡からズレることとなる。
そこで本発明においては、ｘｙ色度図において黒体輻射の色軌跡に対して外側（中央の白色から離れる側）に位置する色の光を発する光源を、暖色系光源及び寒色系光源として用いる。これにより暖色系光源及び寒色系光源の両方を駆動して中間色を照明光とした場合に、照明光の色を黒体輻射の色軌跡に近づけることが可能となる。
このために、暖色系光源／寒色系光源は、ｘｙ色度図において色度座標ｘが同値の点で比較して、色度座標ｙの値が黒体輻射の色軌跡より大きいものを用いるとよい。
【００１５】
また暖色系光源は、ｘｙ色度図におけるＡ光源の色温度に相当する点より、色度座標ｘｙの値がそれぞれ大きいものを用いるとよい。なおＡ光源は、国際照明委員会が標準の光として定めたものであり、タングステン電球の光の色温度２８６５Ｋを有する。暖色系光源の色度座標ｘｙをＡ光源より大きくしておくことによって、暖色系光源及び寒色系光源の中間色をＡ光源の色温度に近づけることが可能となる。
【００１６】
また寒色系光源は、ｘｙ色度図におけるＣ光源の色温度に相当する点より、色度座標ｘｙの値がそれぞれ小さいものを用いるとよい。なおＣ光源は、国際照明委員会が標準の光として定めたものであり、青空の光の色温度６７７４Ｋを有する。寒色系光源の色度座標ｘｙをＣ光源より小さくしておくことによって、暖色系光源及び寒色系光源の中間色をＣ光源の色温度に近づけることが可能となる。
【００１７】
また、ｘｙ色度図において暖色系光源及び寒色系光源の色度を示す２点を結ぶ線分が黒体輻射の色軌跡に接するか又は２点で交差するように、暖色系光源及び寒色系光源の色度を定めるとよい。これにより暖色系光源及び寒色系光源の中間色を黒体輻射の色軌跡に近づけることが可能となる。暖色系光源及び寒色系光源の駆動は、ｘｙ色度図における上記の線分と黒体輻射の色軌跡との距離が所定範囲内となるように、各光源の駆動量を決定して行うとよい。
【発明の効果】
【００１８】
本発明による場合は、最暖色設定又は最寒色設定を受け付けた場合であっても、暖色系光源又は寒色系光源の一方のみを駆動するのではなく、両光源を駆動して中間色の照明光を発する構成とすることによって、複数の光源を効率よく使用することができる。よって暖色系光源及び寒色系光源がそれぞれ複数のＬＥＤなどで構成されるものである場合に、ＬＥＤなどの搭載数を低減するか又は各ＬＥＤの最大発光量を低減できるため、室内照明装置を低価格化することができる。
【００１９】
また本発明による場合は、最暖色設定／最寒色設定とする照明光の色温度に対応する黒体輻射の色軌跡上の点に対して、ｘｙ色度図において外側に位置する色の光を発する光源を、暖色系光源及び寒色系光源として用いることにより、照明光の色を黒体輻射の色軌跡に近づけることが可能となり、黒体輻射の色軌跡に近い特性で色調調整を行うことができる。
【図面の簡単な説明】
【００２０】
【図１】本実施の形態に係るシーリングライトの外観を示す斜視図である。
【図２】本実施の形態に係るシーリングライトの分解斜視図である。
【図３】本実施の形態に係るシーリングライトの構成を示すブロック図である。
【図４】本実施の形態に係るシーリングライトによる色調調整を説明するための模式図である。
【図５】本実施の形態に係るシーリングライトの光源の色度を説明するためのｘｙ色度図である。
【図６】従来の室内照明装置による色調調整を説明するための模式図である。
【発明を実施するための形態】
【００２１】
以下、本発明をその実施の形態を示す図面に基づき具体的に説明する。本実施の形態においては、室内照明装置としてシーリングライトを例に説明を行う。図１は、本実施の形態に係るシーリングライトの外観を示す斜視図である。また図２は、本実施の形態に係るシーリングライトの分解斜視図である。本実施の形態に係るシーリングライトは、照明光を発する発光部１と、発光部１を一面に保持する板状の保持体２と、発光部１を覆うように保持体２に取り付けられるカバー３とを備えている。
【００２２】
保持体２は、円板形のシャーシ２０の外周に円環形の外装環２１を取り付けて構成されている。シャーシ２０は、例えば綱板又はアルミニウム板等の金属板の成形により製造される。外装環２１は、例えばポリカーボネート樹脂などの光を拡散透過する特性を有する樹脂製の成形品である。外装環２１は、シャーシ２０の外周部を屈曲成型した鍔部に内周を重ね、図示しない止めねじにより周方向の複数箇所に締め付け固定され、保持体２の外縁を構成している。
【００２３】
発光部１は、それぞれが短冊形をなす複数の基板１０の一面に、それぞれ複数のＬＥＤ１１を実装して構成されている。複数の基板１０は、シャーシ２０と同芯の円周上に長手方向を沿わせ、ＬＥＤ１１の実相面を外向きとして並べられ、図示しない止めねじによりシャーシ２０の底面に固定されている。また本実施の形態の発光部１は、暖色系の光を発するＬＥＤ１１と、寒色系の光を発するＬＥＤ１１とが、例えば交互に並べて配置されている。なお発光部１は、ＬＥＤ１１を光源として備えるのではなく、例えば蛍光管などの他の光源を備える構成であってもよい。
【００２４】
またシャーシ２０には、回路基板４が取り付けられる。回路基板４は、円環状に成形された平板であり、その一面には、発光部１用の電源回路及び制御回路等を構成する回路部品が実装されている。回路基板４は、回路部品の実装面を外向きとして、シャーシ２０に図示しない止めねじを用いて固定され、内側にアダプタリング４０が取り付けられる。シャーシ２０に固定された回路基板４は、シャーシ２０の底面に沿わせた配線（図示を省略する）により発光部１を構成する基板１０に接続されている。またシャーシ２０及び回路基板４の間には、環状をなす絶縁シート４１が被着され、回路基板４とシャーシ２０との間の絶縁を確保している。
【００２５】
またシャーシ２０には、回路基板４を覆ってシールド４２が取り付けられる。シールド４２は、回路基板の実装面を適宜の距離を隔てて覆う形状に成型された動体金属製の環体であり、回路基板４を外部環境に対して電磁的に遮蔽し、該回路基板４上の回路の誤動作を防止する。またシールド４２は、後述するようにカバー３及び反射シート１２の内周を支持する支持部材としても機能する。
【００２６】
反射シート１２は、下底側の全面が開放された台形断面を有し、広幅の環状をなして成形された樹脂製のシートである。反射シート１２は、発光部１が取り付けられたシャーシ２０の底面に上底を沿わせ、止めねじにより基板１１と共締め固定すると共に、外側の斜辺をシャーシ２０の鍔部の内面に沿わせ、止めねじにより外装環２１と共締め固定してシャーシ２０に取り付けてある。また反射シート１２の内側の斜辺はシールド４２を囲うように延び、斜辺の内周縁は止めねじによりシールド４２の頂部に後述するカバー３と共締め固定されている。
【００２７】
また図示は省略するが、反射シート１２には、発光部１を構成する基板１０上の各複数のＬＥＤ１１の実装位置に合わせて窓孔が形成されている。複数の基板１０に実装されたＬＥＤ１１は、対応する窓孔をから露出させてあり、これらの露出部は拡散レンズ１３により覆われている。拡散レンズ１３は、シャーシ２０の底面上でのＬＥＤ１１の配設周に対応するように環状に成形された樹脂レンズであり、反射シート１２から露出する全てのＬＥＤ１１を一括して覆うように取り付けてある。
【００２８】
シーリングライトは、以上のように構成されたシャーシ２０の発光部１の取り付け面をカバー３により覆って構成されている。カバー３は、ポリカーボネート樹脂などの光を拡散透過する性質を有する樹脂製の円板である。カバー３は、大曲率で湾曲する断面形状を有し、外装環２１よりもわずかに大きい外径を有している。
【００２９】
カバー３の中心部には、円形の開口３０が開設されている。開口３０の周縁部には、カバー３の湾曲中心に向けて凹ませて円形の係合凹部３１が形成されている。カバー３の外周縁部には、湾曲中心の側に立ち上がる係合突起３２が形成されている。カバー３は、外周の係合突起３２を外装環２１に外側から係合させると共に、内周の係合凹部３１をシールド４２の頂部に重ね、止めねじにより反射シート１２と共締め固定することにより、シャーシ２０の底面全体を覆うように取り付けられている。カバー３の係合凹部３１には、センターカバー３３が着脱自在に装着されている。センターカバー３３は、係合凹部３１と略同径の円板形をなす樹脂成形品であり、係合凹部３１に嵌め込まれて開口３０を覆うように取り付けてある。
【００３０】
図３は、本実施の形態に係るシーリングライトの構成を示すブロック図である。本実施の形態に係るシーリングライトは、回路基板４上の回路として実現される制御部５１、赤外線受信部５２及びＬＥＤ駆動部５３等を備えている。またシーリングライトには、ユーザが操作を行うためのリモートコントローラ（以下、リモコンという）７が付属している。
【００３１】
リモコン７は、操作部７１及び赤外線送信部７２等を備えて構成されている。操作部７１は、例えば照明のオン／オフを切り替えるボタン、明るさを増減するボタン、及び、色調を調整するボタン等の複数のボタンが設けられ、ユーザが操作したボタンに応じた信号が赤外線送信部７２へ与えられる。赤外線送信部７２は、操作部７１から与えられた信号に応じてユーザの操作内容を判断し、操作内容に応じた赤外線信号を送信する。特に本実施の形態においては、リモコン７の操作部７１には、シーリングライトの照明光の色調を、暖色から寒色まで段階的に変化させるためのボタンが設けられている。
【００３２】
リモコン７が送信した赤外線信号は、シーリングライトの赤外線受信部５２にて受信される。赤外線受信部５２は、受信した赤外線信号に含まれる情報（即ちリモコン７の操作部７１に対してなされた操作内容）を制御部５１へ通知する。制御部５１は、赤外線受信部５２から与えられた情報に基づいてＬＥＤ駆動部５３の動作を制御し、例えば照明のオン／オフ、明るさの増減、及び、色調調整等を行う。
【００３３】
ＬＥＤ駆動部５３は、制御部５１の制御に応じて、図示しない電源回路から供給される電力により、発光部１に設けられた複数のＬＥＤ１１の駆動を行う。本実施の形態のシーリングライトは、光源として色度が異なる２種のＬＥＤ１１（暖色系ＬＥＤ１１ａ及び寒色系ＬＥＤ１１ｂ）を備えており、ＬＥＤ駆動部５３は、暖色系ＬＥＤ１１ａ及び寒色系ＬＥＤ１１ｂをそれぞれ異なる駆動量で駆動することができる。なお駆動量とは、ＬＥＤ駆動部５３が例えば電圧値又は電流値を変化させてＬＥＤ１１の発光量を調整する構成の場合にはこの電圧値又は電流値であり、また例えばＰＷＭ（Pulse Width Modulation）制御でＬＥＤ１１の発光量を調整する構成の場合にはデューティ比である。
【００３４】
シーリングライトの制御部５１は、リモコン７にてなされた照明のオン／オフの操作に応じて、ＬＥＤ駆動部５３によるＬＥＤ１１の駆動開始／停止を制御する。また制御部５１は、明るさの増減の操作に応じて、ＬＥＤ駆動部５３によるＬＥＤ１１の駆動量の増減を制御する。更に制御部５１は、色調調整の操作に応じて、ＬＥＤ駆動部５３による暖色系ＬＥＤ１１ａの駆動量と、寒色系ＬＥＤ１１ｂの駆動量との比率を変更する制御を行う。以下では、シーリングライトの制御部５１による照明光の色調調整について説明する。
【００３５】
図４は、本実施の形態に係るシーリングライトによる色調調整を説明するための模式図であり、横軸を照明光の色調（最暖色〜最寒色）設定とし、暖色系光源（暖色系ＬＥＤ１１ａ）の駆動量（発光量）と寒色系光源（寒色系ＬＥＤ１１ｂ）の駆動量（発光量）との比率を棒グラフとして示したものである。本実施の形態のシーリングライトでは、ユーザのリモコン７に対する操作によって、最暖色設定から最寒色設定まで１１段階で照明光の色調を設定することがきる。例えばユーザが暖色及び寒色のちょうど中間色を設定した場合、シーリングライトの制御部５０は暖色系ＬＥＤ１１ａ及び寒色系ＬＥＤ１１ｂを５０：５０の比率で点灯（発光）させるべく、ＬＥＤ駆動部５３を制御する。
【００３６】
また例えば、ユーザが最暖色を設定した場合、制御部５１は暖色系ＬＥＤ１１ａ及び寒色系ＬＥＤ１１ｂを７５：２５の比率で発光させ、ユーザが最寒色を設定した場合、制御部５１は暖色系ＬＥＤ１１ａ及び寒色系ＬＥＤ１１ｂを２５：７５の比率で発光させる。このように本実施の形態に係るシーリングライトは、最暖色又は最寒色が設定された場合であっても、暖色系ＬＥＤ１１ａ又は寒色系ＬＥＤ１１ｂのいずれか一方のみを駆動するのではなく、暖色系ＬＥＤ１１ａ及び寒色系ＬＥＤ１１ｂの両光源を駆動し、両光源からの光を混色した照明光を発している。
【００３７】
従来のシーリングライト（図６参照）は、最暖色設定又は最寒色設定において暖色光源又は寒色光源のいずれか一方のみを駆動しているため、最暖色設定又は最寒色設定における照明光の光量は暖色光源又は寒色光源のいずれか一方の光量に依存する。これに対して本実施の形態に係るシーリングライトは、例えば最暖色設定において暖色系ＬＥＤ１１ａ及び寒色系ＬＥＤ１１ｂを７５：２５の比率で発光させているため、最暖色設定における照明光の光量は、暖色系ＬＥＤ１１ａの光量に寒色系ＬＥＤ１１ｂの光量を加えたものとすることができる。最寒色設定についても同様である。よって光源として搭載するＬＥＤ１１の数が同じであれば、本実施の形態に係るシーリングライトは、従来のシーリングライトよりも多くの光量を得ることができ、換言すれば同程度の光量を得るために搭載するＬＥＤ１１の数を低減できる。
【００３８】
ただし本実施の形態に係るシーリングライトは、従来のシーリングライトと同じ暖色光源及び寒色光源を用いた場合、従来のシーリングライトより色調の調整幅が狭まることとなる。そこで本実施の形態に係るシーリングライトは、従来の暖色光源及び寒色光源とは色度が異なる光源を用いる構成としてよい。以下では、シーリングライトの光源の色度について説明する。
【００３９】
図５は、本実施の形態に係るシーリングライトの光源の色度を説明するためのｘｙ色度図である。ｘｙ色度図とは、三刺激値ＸＹＺにより表されるＸＹＺ表色系に基づき、ｘ＝Ｘ／（Ｘ＋Ｙ＋Ｚ）及びｙ＝Ｙ／（Ｘ＋Ｙ＋Ｚ）の演算式により算出される色度座標ｘｙを平面上に示したものである。全ての色度は、図示のｘｙ色度図内に白塗りで描かれた略三角形の領域内の点として表すことができる。またこの領域内に描かれた曲線は、黒体輻射の色軌跡であり、この曲線上の白点はその近傍に記した数値の色温度（Ｋ）に相当する点である。黒体輻射の色軌跡上のＡ点、Ｂ点及びＣ点は、国際照明委員会が標準光として定めたＡ光源、Ｂ光源及びＣ光源を示す点である。Ａ点はタングステン電球の光であり、色温度２８６４Ｋに相当する点である。Ｂ点は太陽光であり、色温度４８７０Ｋに相当する点である。Ｃ点は青空の光であり、色温度６７７４Ｋに相当する点である。
【００４０】
このｘｙ色度図において、ａ点が暖色系ＬＥＤ１１ａの色度を示す点であり、ｂ点が寒色系ＬＥＤ１１ｂの色度を示す点である。暖色系ＬＥＤ１１ａの色度（ａ点）は、以下の条件を満たすものであることが好ましい。
ａ点の色度座標ｙの値は、色度座標ｘの値が同じ条件で、黒体輻射の色軌跡の色度座標ｙの値より大きい。
ａ点の色度座標ｘｙの値は、Ａ点の色度座標ｘｙの値よりそれぞれ大きい。
また寒色系ＬＥＤ１１ｂの色度（ｂ点）は、以下の条件を満たすものであることが好ましい。
ｂ点の色度座標ｙの値は、色度座標ｘの値が同じ条件で、黒体輻射の色軌跡の色度座標ｙの値より大きい。
ｂ点の色度座標ｘｙの値は、Ｃ点の色度座標ｘｙの値よりそれぞれ小さい。
【００４１】
またａ点及びｂ点を結ぶ線分が黒体輻射の色軌跡に接するか又は２点で交差するように、ａ点及びｂ点の色度座標ｘｙを決定することが好ましい。ｘｙ色度図において異なる２点で表される２色を混ぜて得られる色は、この２点を結ぶ線分上の色となる。よって本図のａ点及びｂ点に対応する暖色系ＬＥＤ１１ａ及び寒色系ＬＥＤ１１ｂを備えるシーリングライトは、ａ点及びｂ点を結ぶ線分上の色の照明光を発することができる。ａ点及びｂ点が上記の条件を満たすことによって、ａ点及びｂ点を結ぶ線分（の中央部分）を黒体輻射の色軌跡に近づけることができるため、シーリングライトの照明光の色度を黒体輻射の色軌跡上の色度に近づけることができる。
【００４２】
本実施の形態に係るシーリングライトは、最暖色設定又は最寒色設定において暖色系ＬＥＤ１１ａ又は寒色系ＬＥＤ１１ｂのいずれか一方の光源みを駆動することはなく、両光源を駆動する。即ち本実施の形態に係るシーリングライトは、図５のｘｙ色度図においてａ点又はｂ点での照明光を発することはなく、ａ点及びｂ点を結ぶ線分上の色度の照明光を発する。よって、ａ点及びｂ点を結ぶ線分のうち、黒体輻射の色軌跡に近い部分で両光源の光の混色を行うことで、シーリングライトの照明光を黒体輻射の色軌跡に近い色度で調整することができる。
【００４３】
例えばａ点及びｂ点を結ぶ線分と黒体輻射の色軌跡との距離を算出し、この距離が閾値となる点を線部の両端側から求める。求めた２点をそれぞれ最暖色設定及び最寒色設定に対応する色度とし、最暖色設定及び最寒色設定の２点間の線分（黒体輻射の色軌跡との距離が閾値以下となる線分）を１０等分する９つの点を、それぞれ色調調整を段階的に行う色度とする。最暖色設定及び最寒色設定を含む１１点のそれぞれについて、暖色系ＬＥＤ１１ａ及び寒色系ＬＥＤ１１ｂの駆動比率を算出し、算出した駆動比率を制御部５１に記憶しておく。制御部５１は、リモコン７にてなされた色調の設定に対応する駆動比率で暖色系ＬＥＤ１１ａ及び寒色系ＬＥＤ１１ｂが駆動されるよう、ＬＥＤ駆動部５３の動作を制御する。これにより図３に示すようなＬＥＤ１１の駆動制御を行うことができる。
【００４４】
以上の構成の本実施の形態に係るシーリングライトは、最暖色設定又は最寒色設定を受け付けた場合であっても、暖色系ＬＥＤ１１ａ又は寒色系ＬＥＤ１１ｂのいずれか一方のみを駆動するのではなく、暖色系ＬＥＤ１１ａ又は寒色系ＬＥＤ１１ｂの両方を駆動し、両光源が発した光の混色によって最暖色又は最寒色の照明光とする。これにより、最暖色設定又は最寒色設定においても、暖色系ＬＥＤ１１ａ又は寒色系ＬＥＤ１１ｂの両方が光を発するため、いずれか一方のＬＥＤ１１のみを駆動する場合と比較して、照明光の光量を増すことができる。換言すれば、暖色系ＬＥＤ１１ａ又は寒色系ＬＥＤ１１ｂを効率よく使用することができるため、シーリングライトのＬＥＤ１１の搭載数又は各ＬＥＤ１１の最大発光量を低減できる。
【００４５】
また暖色系ＬＥＤ１１ａ又は寒色系ＬＥＤ１１ｂの色度座標ｙの値は、ｘｙ色度図において色度座標ｘの値が同じ条件で、黒体輻射の色軌跡の色度座標ｙの値より大きい値とする。これにより、ｘｙ色度図において黒体輻射の色軌跡に対して外側（中央の白色から離れる側）の点を、暖色系ＬＥＤ１１ａ又は寒色系ＬＥＤ１１ｂの色座標とすることができ、暖色系ＬＥＤ１１ａ又は寒色系ＬＥＤ１１ｂの両方を駆動して中間色を照明光とした場合に、照明光の色を黒体輻射の色軌跡に近づけることができる。
【００４６】
また暖色系ＬＥＤ１１ａは、ｘｙ色度図におけるＡ光源の色温度に相当する点（Ａ点）より、色度座標ｘｙの値がそれぞれ大きいものを用いる。これにより、暖色系ＬＥＤ１１ａ又は寒色系ＬＥＤ１１ｂが発する光の中間色をＡ光源の色温度に近づけることができる。また寒色系ＬＥＤ１１ｂは、ｘｙ色度図におけるＣ光源の色温度に相当する点（Ｃ点）より、色度座標ｘｙの値がそれぞれ小さいものを用いる。これにより、暖色系ＬＥＤ１１ａ又は寒色系ＬＥＤ１１ｂが発する光の中間色をＣ光源の色温度に近づけることができる。
【００４７】
またｘｙ色度図において暖色系ＬＥＤ１１ａ及び寒色系ＬＥＤ１１ｂの色度を示す２点を結ぶ線分が黒体輻射の色軌跡に接するか又は２点で交差するように、暖色系ＬＥＤ１１ａ及び寒色系ＬＥＤ１１ｂの色度を定め、上記の線分と黒体輻射の色軌跡との距離が所定範囲内となるように暖色系ＬＥＤ１１ａ及び寒色系ＬＥＤ１１ｂの駆動を行う。これにより、暖色系ＬＥＤ１１ａ及び寒色系ＬＥＤ１１ｂの中間色を黒体輻射の色軌跡に近づけることができる。
【００４８】
なお本実施の形態においては、室内照明装置としてシーリングライトを例に説明を行ったが、シーリングライト以外の室内照明装置、例えばペンダントライト、ブラケットライト又はダウンライト等の室内照明装置に本発明の構成を適用することができる。またシーリングライトの色調を段階的に調整可能な構成としたが、これに限るものではなく、色調を連続的に調整可能な構成としてもよい。またシーリングライトの色調を１１段階で調整可能な構成としたが、これに限るものではなく、１０段階以下又は１２段階以上で調整可能な構成であってもよい。また図４に示した色調調整における光源の発光比率は一例であって、これに限るものではない。また図５に示したｘｙ色度図における暖色系ＬＥＤ１１ａ及び寒色系ＬＥＤ１１ｂ（ａ点及びｂ点）の色度座標ｘｙは、一例であって、これに限るものではない。
【００４９】
また、暖色系ＬＥＤ１１ａ及び寒色系ＬＥＤ１１ｂの色度座標ｘｙの条件は上述のもの以外であってもよい。上述の条件は、暖色系ＬＥＤ１１ａ及び寒色系ＬＥＤ１１ｂの混色による照明光の色度の変化を黒体輻射の色軌跡に近づけることを目的としたものである。これに対して例えば従来のシーリングライトと同様の特性とするために、従来の暖色系光源及び寒色系光源の色度を示す２つの点を結ぶ線分の延長線上にａ点及びｂ点を設け、暖色系光源及び寒色系光源の色度を示す２つの点を結ぶ線分内で色度調整を行う構成としてもよい。
【符号の説明】
【００５０】
１  発光部
２  保持体
３  カバー
４  回路基板
７  リモコン（設定受付手段）
１０  基板
１１  ＬＥＤ
１１ａ  暖色系ＬＥＤ（暖色系光源）
１１ｂ  寒色系ＬＥＤ（寒色系光源）
１２  反射シート
１３  拡散レンズ
２０  シャーシ
２１  外装環
３０  開口
３１  係合凹部
３２  係合突起
３３  センターカバー
４０  アダプタリング
４１  絶縁シート
４２  シールド
５１  制御部（設定受付手段、駆動手段）
５２  赤外線受信部５２（設定受付手段）
５３  ＬＥＤ駆動部（駆動手段）
７１  操作部（設定受付手段）
７２  赤外線送信部（設定受付手段）
【図１】
2013237356.tif 000003
【図２】
2013237356.tif 000004
【図３】
2013237356.tif 000005
【図４】
2013237356.tif 000006
【図５】
2013237356.tif 000007
【図６】
2013237356.tif 000008